(57)【要約】【課題】施工が容易で且つ施工後の外観も優れたものとなる踏板拘束用楔を提供することを課題とする。【解決手段】打ち込み端１７から先端１８に向けて肉厚が漸減し、階段Ａを構成する側桁１１の内側面１１ａに掘り込まれた踏板取付溝１３に差し込まれた踏板１０の下面１０ａと、前記踏板取付溝１３の底面１３ａとの隙間１６に圧入される踏板拘束用楔１である。前記隙間１６に圧入された時に、踏板取付溝１３の底面１３ａに接する踏板拘束用楔１の下面６から、踏板１０の下面１０ａに接する踏板拘束用楔１の上面４に至る両側面５・８の内、側桁１１の反対側で階段Ａの内側に露出する露出側側面８に、打ち込み端１７から先端１８に向かうビス打ち込み用の傾斜面７が形成されている。前記傾斜面７に立てた法線が踏板拘束用楔１の上面４を通過する位置に傾斜面７が設けられている。【選択図】図１
2018048510.tif 000002
【特許請求の範囲】
【請求項１】
打ち込み端から先端に向けて肉厚が漸減し、階段を構成する側桁の内側面に掘り込まれた踏板取付溝に差し込まれた踏板の下面と、前記踏板取付溝の底面との隙間に圧入される踏板拘束用楔であって、
前記隙間に圧入された時に、踏板取付溝の底面に接する踏板拘束用楔の下面から、踏板の下面に接する踏板拘束用楔の上面に至る両側面の内、側桁の反対側で階段の内側に露出する露出側側面に、打ち込み端から先端に向かうビス打ち込み用の傾斜面が形成され、
前記傾斜面に立てた法線が踏板拘束用楔の上面を通過する位置に傾斜面が設けられていることを特徴とする踏板拘束用楔。
【請求項２】
請求項１に記載の踏板拘束用楔において、
傾斜面の、踏板拘束用楔の下面に対する内角θは、１２０〜１５０°の範囲で設けられていることを特徴とする踏板拘束用楔。
【請求項３】
請求項１又は２に記載の踏板拘束用楔において、
前記傾斜面には、傾斜面から踏板拘束用楔の上面に至るビス孔が穿設されていることを特徴とする踏板拘束用楔。
【請求項４】
内側面に掘り込まれた踏板取付溝を有する階段の左右一対の側桁と、
上面が前記踏板取付溝の上面である踏板接触面に接するようにその端部が挿入された踏板と、
踏板の下面と踏板取付溝の底面との間の隙間に打ち込まれた請求項１〜３のいずれかに記載の踏板拘束用楔と、
打ち込まれた踏板拘束用楔の傾斜面から踏板の端部を通り、側桁に至るビスとで構成されていることを特徴とする踏板の固定構造。
【発明の詳細な説明】
【技術分野】
【０００１】
本発明は、踏板を側桁に固定するための踏板拘束用楔、及び該楔を用いた踏板の固定構造に関する。
【背景技術】
【０００２】
従来から、階段を構成するにあたって、その主要部材である踏板を側桁に固定するための技術が種々開示されているが踏板の拘束には先端部に向かうほど幅が小になると共に厚みも小となる四角錘台の踏板拘束用楔を用いられる。
例えば、側桁の内側に開口する踏板取付溝を側桁に水平方向に掘り込み、この踏板取付溝に踏板の端部を挿入し、踏板の下面と踏板拘束用楔の上面に接着剤を塗布し、この状態で踏板の下面と踏板取付溝との間に形成される隙間を埋めるように踏板拘束用楔が打ち込まれ、更に踏板拘束用楔の露出側側面から側桁に水平にビスを打ち込んで踏板拘束用楔を側桁に固定する踏板の取付構造が知られている（特許文献１）。
この場合、ビスは楔だけを側桁に固定するだけであるため、踏板の固定のために接着剤（或いは、接着剤に代わる第２のビス）が不可欠であり、施工にそれだけ手間が掛かるという問題があった。
【０００３】
そこで、特許文献２に示すように、踏板の下面に圧接する踏板拘束用楔の上面に対して直角に形成されている踏板拘束用楔の側面から同上面に向けて斜め上方向にビス孔を予め穿設し、踏板拘束用楔の打ち込み後、このビス孔にビスを差し込んで、斜め上向きに打ち込み、踏板拘束用楔を踏板と共に側桁に分離不能に固定する工法が提案されている。
【先行技術文献】
【特許文献】
【０００４】
【特許文献１】特開２００４−１４３８６６号公報
【特許文献２】特開２００３−１８４２５０号公報
【発明の概要】
【発明が解決しようとする課題】
【０００５】
特許文献２は引用文献１の問題点を解決したものの、上面に対して直角に形成されている踏板拘束用楔の側面から斜め上にビスを打ち込むことになるため、ビス頭が側面に対して斜めに入って突出し見苦しいし、ビスの打ち込みに際して踏板拘束用楔の側面に対し斜め上方向に穿設されたビス孔を利用するとしても該側面では打ち込み作業がやりにくいということが指摘されている。
本発明は、かかる従来例の問題点を解決するためになされたもので、施工が容易で且つ施工後の外観も優れたものとなる踏板拘束用楔と該楔を使用した踏板の固定構造を提供することを課題とするものである。
【課題を解決するための手段】
【０００６】
請求項１に記載の発明である踏板拘束用楔１は、
打ち込み端１７から先端１８に向けて肉厚が漸減し、階段Ａを構成する側桁１１の内側面１１ａに掘り込まれた踏板取付溝１３に差し込まれた踏板１０の下面１０ａと、前記踏板取付溝１３の底面１３ａとの隙間１６に圧入される踏板拘束用楔１であって、
前記隙間１６に圧入された時に、踏板取付溝１３の底面１３ａに接する踏板拘束用楔１の下面６から、踏板１０の下面１０ａに接する踏板拘束用楔１の上面４に至る両側面５・８の内、側桁１１の反対側で階段Ａの内側に露出する露出側側面８に、打ち込み端１７から先端１８に向かうビス打ち込み用の傾斜面７が形成され、
前記傾斜面７に立てた法線が踏板拘束用楔１の上面４を通過する位置に傾斜面７が設けられていることを特徴とする。
【０００７】
請求項２に記載の発明は、請求項１に記載の踏板拘束用楔１において、
傾斜面７の、踏板拘束用楔１の下面６に対する内角θは、１２０〜１５０°の範囲で設けられていることを特徴とする。
【０００８】
請求項３に記載の発明は、請求項１又は２に記載の踏板拘束用楔１において、
前記傾斜面７には、傾斜面７から踏板拘束用楔１の上面４に至るビス孔３が穿設されていることを特徴とする。
【０００９】
請求項４に記載の発明は、請求項１〜３のいずれかに記載の踏板拘束用楔１を用いた踏板１０の固定構造であって、
内側面１１ａに掘り込まれた踏板取付溝１３を有する階段Ａの左右一対の側桁１１と、
上面ａが前記踏板取付溝１３の上面である踏板接触面１３ｂに接するようにその端部が挿入された踏板１０と、
踏板１０の下面１０ａと踏板取付溝１３の底面１３ａとの間の隙間１６に打ち込まれた請求項１〜３のいずれかに記載の踏板拘束用楔１と、
打ち込まれた踏板拘束用楔１の傾斜面７から踏板１０の端部を通り、側桁１１に至るビス２０とで構成されていることを特徴とする。
【発明の効果】
【００１０】
本発明によれば、踏板拘束用楔１の下面６から上面４に向かうビス打ち込み用の傾斜面７が、踏板拘束用楔１の露出側側面８に形成されているので、傾斜面７にある程度直角にビス２０を打ち込んで行けば自然に踏板１０の挿入端部を通って側桁１１に到達することになり、１度のビス打ち作業で踏板拘束用楔１と踏板１０との側桁１１への取付が完了する。これに加えて、前記傾斜面７に向かって打ち込みを行うということは、踏板１０の下面１０ａから離れた位置で斜めに金槌を振るうことになり、ビス打ちの際に、誤って踏板１０の下面１０ａを金槌で傷つけるようなことがない。
【００１１】
換言すれば、従来例のように踏板の下面のすぐ近くで下面に沿うようにビスを打ち込む必要もなければ、従来例のように楔の角からビスを打ち込む必要もなく、ビスの打ち込みが容易になる。
そして、打ち込まれたビス２０の頭は、傾斜面７に平行に打ち込まれるので、頭が外に飛び出さず施工後の外観も優れたものとなる。
【図面の簡単な説明】
【００１２】
【図１】本発明の施工状態の背面側からの斜視図である。
【図２】本発明の施工状態の拡大断面図である。
【図３】本発明の踏板拘束用楔の斜視図である。
【図４】図３の断面図である。
【発明を実施するための形態】
【００１３】
以下、本発明の実施の形態について図面を参照しながら詳細に説明する。本発明の踏板拘束用楔１は樹脂製で、図３からわかるように、打ち込み端１７から先端１８に向けて肉厚が漸減する本来的な楔の形状で、一方の露出側となる側面８において、下面６から上面４に向けて傾斜面７が形成されている。傾斜面７の幅は先端１８に向けて漸減する。
露出側側面８において、傾斜面７が設けられていない部分８ａの幅は一定であって先端１８の厚みと等しい。
踏板拘束用楔１の他方の側面（この面を嵌着側側面５とする。）は、上・下面４・６に直角で、直角三角形を呈する。
【００１４】
９は肉盗みの凹所で、踏板拘束用楔１の厚肉部分に等間隔で３か所設けられ、ビス孔３は凹所９の間及び先端１８側の凹所９の横に設けられている。
【００１５】
傾斜面７の位置についてであるが、図４からわかるように嵌着側側面５の高さＷは、下面６の幅Ｔ（この場合は、打ち込み端１７から先端１８まで同幅である。）より小さく、且つ傾斜面７に直交する線（法線）が上面４を通過する位置に設けられる。
傾斜面７の傾斜角度は、傾斜面７の、踏板拘束用楔１の下面６に対する内角θで、１２０〜１５０°の範囲で設けられる。従って、内角θが１２０°に近い程、傾斜面７は嵌着側側面５から離間する。
【００１６】
そして、踏板拘束用楔１の傾斜面７には、必要に応じて傾斜面７に対して直角に（即ち、上記法線に沿って）ビス孔３が複数個設けられ、ビス孔３の出口は踏板拘束用楔１の上面４に開口している。上記のように構成された踏板拘束用楔１は、左右一対で用意される。
【００１７】
階段Ａの側桁１１の内側面１１ａには、その前端が側桁１１の前端に至らない状態で側桁１１の後端から前端に向けて踏板取付溝１３が掘り込まれている。踏板取付溝１３の上面で組み立て時に踏板１０が強く圧接される踏板接触面１３ｂは、側桁１１を階段取付位置に建て込んだ状態で、水平になるように掘り込まれており、踏板取付溝１３の底面１３ａは先端方向に向かって上り傾斜に形成されている。即ち、踏板取付溝１３の上下の高さは、水平な踏板接触面１３ｂを基準に先端に向かう程漸減するように形成されている。踏板接触面１３ｂを基準とする底面１３ａの内角は踏板拘束用楔１の上面４・下面６間の角度に等しく設定されている。
なお、踏板取付溝１３の前後方向の長さは踏板１０の挿入端部をカバーできる長さである。そして、踏板取付溝１３の先端内側から下方に向かって一段下の踏板取付溝（図示せず）に開口する先端側の蹴込み溝１５ａ、後端内側から上に向かって一段上の踏板取付溝（図示せず）に開口する後端側の蹴込み溝１５ｂが側桁１１の内側面に掘り込まれている。後端側の蹴込み溝１５ｂの下端は踏板取付溝１３に開口し、踏板取付溝１３の底面１３ａから外れ、この開口から仮想線で示す蹴込み板１２ｂが下から挿入出来るようになっている。この点は他の蹴込み溝においても同じである。
【００１８】
踏板１０は平面視長方形の板材で、前端下面に蹴込み溝１０ｋが左右全長にわたって掘り込まれている。蹴込み板１２も同様、正面視長方形の板材である。
【００１９】
次に階段Ａの組み立て状態について説明する。階段設置場所に左右一対の側桁１１を建て込む。建てこまれた側桁１１の背方から踏板１０の端部を踏板取付溝１３に挿入し、左右の側桁１１の踏板取付溝１３間に架け渡す。この時、踏板１０下面の蹴込み溝１０ｋは側桁１１の縦方向の蹴込み溝１５ａに一致するように取り付けられる。そしてこの時、背面側の縦方向の蹴込み溝１５ｂは架設された踏板１０の背面に一致する。
【００２０】
然る後、踏板１０の下面１０ａと踏板取付溝１３の底面１３ａとの間の隙間１６に側桁１１の背方から踏板拘束用楔１を打ち込む。この時、傾斜面７は踏板取付溝１３に対してその反対の露出側に配置される。踏板拘束用楔１の打ち込みによって踏板１０の上面は踏板取付溝１３の踏板接触面１３ｂに強く押圧されてその位置に仮固定される。
【００２１】
続いて、一段下の踏板取付溝（図示せず）の後端内側に開口している蹴込み溝１５ａに、蹴込み板１２ａを下から挿入し、踏板１０の下面１０ａに掘り込まれた蹴込み溝１０ｋにその上辺を挿入し、その側辺を蹴込み溝１５ａにそれぞれ挿入し、然る後、蹴込み板１２ａの下端部を一段下の踏板の背面にビス止めする。
同様にして該踏板１０の背面に一致して踏板取付溝１３に開口する蹴込み溝１５ｂに、仮想線で示す蹴込み板１２ｂを下から挿入し、その側辺を蹴込み溝１５ｂにそれぞれ挿入し、然る後、蹴込み板１２ｂの下端部を踏板１０の背面にビス止めする。
【００２２】
最後に踏板拘束用楔１の傾斜面７に対して直角にビス２０を打ち込む。この時、ビス２０の打ち込み方向は傾斜面７に対してほぼ直角になり、踏板１０の下面１０ａから離れることになり打ち込みが容易になる。打ち込まれたビス２０は踏板拘束用楔１の上面４及びその上に乗る踏板１０の挿入端部を貫通し、側桁１１の踏板取付溝１３に打ち込まれる。
踏板拘束用楔１にビス孔３を穿設しておけば、これがガイドとなり、ビス２０の正確な打ち込みが容易になる。以上のような作業を繰り返して階段Ａの組み立てを行う。
【００２３】
Ａ：階段、Ｗ：嵌着側側面の高さ、Ｔ：下面の幅、θ：傾斜面の内角、１：踏板拘束用楔、３：ビス孔、４：上面、５：（嵌着側）側面、６：下面、７：傾斜面、８：（露出側）側面、８ａ：傾斜面が設けられていない部分、９：凹所、１０：踏板、１０ａ：下面、１０ｋ：蹴込み溝、１１：側桁、１１ａ：内側面、１２・１２ａ・１２ｂ：蹴込み板、１３：踏板取付溝、１３ａ：底面、１３ｂ：踏板接触面、１５ａ・１５ｂ：蹴込み溝、１６：隙間、１７：打ち込み端、１８：先端、２０：ビス。
【図１】
2018048510.tif 000003
【図２】
2018048510.tif 000004
【図３】
2018048510.tif 000005
【図４】
2018048510.tif 000006